(57)【要約】【課題】  本発明の課題は、従来技術のような制限のないハンドル、特に、ユーザの手に正確に適応するリボルバ又は他のタイプのハンドルを提案することである。【解決手段】  本発明は、ビデオカメラのような機器を動作させるためのハンドル（１）に関する。  ハンドルは、ユーザの指を収容するためのくぼみ（３）を備えている。調節システム（５、７、８、９、１１）は、くぼみ（３）を、ユーザの指の幅に適応させるために、前記くぼみの少なくとも１部分の幅（１１、１２、１３、１４）を修正可能である。
2010537255.tif 000002
【特許請求の範囲】
【請求項１】
ユーザの指のために複数のくぼみ（３）を備えた機器（６）を動作させるためのハンドル（１）において、
複数のくぼみ（３）を、前記ユーザの指の幅に適応させるために、前記くぼみの少なくとも一部分の幅（１１、１２、１３、１４）を変更可能にする調節システム（５、７、８、９、１１）を備えることを特徴とするハンドル。
【請求項２】
請求項１に記載のハンドルにおいて、
前記調節システムは、くぼみ（３）の幅の適応を、部品を分解又は取り替えることなく適応可能とすることを特徴とするハンドル。
【請求項３】
請求項１又は２に記載のハンドルにおいて、
前記調節システムは、くぼみ（３）の幅の連続的な適応を可能とすることを特徴とするハンドル。
【請求項４】
請求項３に記載のハンドルにおいて、
素子（５）、例えばねじ素子を備えた前記調節システムは、くぼみ（３）の幅を、ねじることによって修正可能とすることを特徴とするハンドル。
【請求項５】
請求項１乃至４のいずれかに記載のハンドルにおいて、
ハンドルが、少なくとも一部に、弾性的に変形可能な材料から構成され、変形後に元の形に戻すことが可能である場合、
前記調節システム（５、７、８、９、１１）は、くぼみ（３）の幅を修正するために、前記材料の圧縮を変形又は修正可能とすることを特徴とするハンドル。
【請求項６】
請求項５に記載のハンドルにおいて、
前記弾性的に変形可能な材料は、シリコンが主成分であることを特徴とするハンドル。
【請求項７】
請求項５又は６に記載のハンドルにおいて、
前記くぼみを備え、かつ、少なくとも部分的に、弾性的に変形可能な材料から構成される変形可能部（２０）と、
前記変形可能部（２０）の圧縮の調節のために配置されている前記調節システムとを備えることを特徴とするハンドル。
【請求項８】
請求項７に記載のハンドルにおいて、
手のひらで固定されるように設計された硬部（３０）を備え、
ハンドルを、前記機器（６）に接続することを特徴とするハンドル。
【請求項９】
請求項８に記載のハンドルにおいて、
前記硬部（３０）は、エネルギーを貯えるためのセル又は電池（３２）と、
前記機器又は受信部と連係するための電気回路と、
親指によって駆動されるように設計された接触素子とを備え、
前記変形可能素部（２０）は、調節システム（５）によって、硬部に接続されていることを特徴とするハンドル。
【請求項１０】
請求項１乃至９のいずれかに記載のハンドルにおいて、
前記くぼみ（３）の１つに配置される指の１つによって、動作させるために設計された少なくとも１つの接触素子（４１−４４）を備えることを特徴とするハンドル。
【請求項１１】
請求項１０に記載のハンドルにおいて、
人差し指、中指、薬指、及び、小指を収容するための４つの異なるくぼみ（３）と、
これらの指の１つによって、いずれかを動作されるように設計されたいくつかの接触素子（４１−４４）とを備えることを特徴とするハンドル。
【請求項１２】
請求項１０又は１１に記載のハンドルにおいて、
前記くぼみの幅（１１−１４）が調節された場合、接触素子（４１−４４）は、移動することを特徴とするハンドル。
【請求項１３】
請求項１乃至１２のいずれかに記載のハンドルにおいて、
親指によって動作されるように設計された少なくとも１つの接触素子（４５）を備えることを特徴とするハンドル。
【請求項１４】
請求項１乃至１３のいずれかに記載のハンドルにおいて、
ハンドルが、受信器（５）と連係している場合、
前記受信器（５）は、前記ハンドル（１）によって制御される前記機器（６）と連係していることを特徴とするハンドル。
【請求項１５】
請求項１４に記載のハンドルにおいて、
前記受信器（５）は、ハンドル（１）によって入力された命令信号を受信し、前記機器又は他の機器の制御信号に変換する電気回路（５０）を備えることを特徴とするハンドル。
【請求項１６】
請求項１乃至１５のいずれかに記載のハンドルにおいて、
ハンドル（１）は、ビデオカメラを制御するために、ＬＡＮＣ接合部又は他の接合部を介して、ビデオカメラと連動することを特徴とするハンドル。
【請求項１７】
請求項１４乃至１６のいずれかに記載のハンドルにおいて、
ハンドル（１）は、無線インターフェースを介して、前記受信部と連係していることを特徴とするハンドル。
【請求項１８】
請求項１乃至１７のいずれかに記載のハンドルは、ピストル型であることを特徴とするハンドル。
【請求項１９】
請求項１乃至１８のいずれかに記載のハンドル（１）と、
ケーブル又は無線インターフェースを介して、前記ハンドルに接続され、かつ、前記ハンドルを用いて入力された命令に応じて、外部機器（６）を制御するために、ケーブル又は無線インターフェースを備えた受信器（５）とを備えたシステム。
【請求項２０】
請求項１９に記載に記載のシステムにおいて、
前記受信器（５）は、再プログラミング可能であることを特徴とするシステム。
【請求項２１】
請求項２０に記載のシステムにおいて、
異なるタイプのインターフェースを介して、異なる機器（６）を制御するために、同一のハンドル（１）に連係可能ないくつかの受信器（５）を備えていることを特徴とするシステム。
【発明の詳細な説明】
【技術分野】
【０００１】
本発明は、特にビデオカメラのための機器を握るため及び制御するための調節可能なハンドルに関する。
【背景技術】
【０００２】
多くのカメラは、片手で機器を運ぶため、及び、１又はいくつかの指を用いて命令を入力するためにハンドルが備えられている。考えられたハンドルの異なる形状の間で、リボルバ形状は、特に、道具が肩や首や頭の高さに固定される必要がある場合に、特に人間工学的に証明されている。それゆえ、リボルバハンドルは、一般的に、手のひらと指の間に固定されるようにデザインされたほぼ円筒状の握り部を備えている。しばしば、この部分は、垂直に、又は、４５°以内で傾斜して固定される。ハンドルは、４つの指の先端を、手のひらから離れる十分な半径を備えている。この状態で、手とハンドルの間の接触表面は、かなりあり、安定な固定と、手を傷めないために、かなりある表面上に圧力を分散することを許容している。その状態で、指は半分に折られ、かなりの力をかけられ、かつ、１以上の指でボタン又はトリガを押すために十分に動かし可能である。
【０００３】
リボルバハンドルは、ビデオカメラ及びドリルや武器等の電機機器を含んだ多くの携帯可能な機器のために適応している。同様のハンドルは、例えば、ジョイスティック、機械制御装置等の固定部で見られる。ハンドルは、制御機器と一体になり、かつ、その制御機器に取り外し可能に接続されている。
【０００４】
ビデオカメラのための取り外し可能なハンドルの一例が、米国特許第５７４２８５９号明細書に記載されている。この文献に記載されたハンドルは、ズーム又は他の同様の機能を制御するために、３つの指の先端を用いて動作可能な３つのボタンを備えている。
【０００５】
快適及び正確性のため、長い間持ち運ばれる機器のハンドルは、時折、指のためのくぼみを備えている。これらは、手の１以上の指、例えば、人差し指のみ又は全ての４本の指に対応してデザインされたくぼみ部分である。異なるくぼみは、ハンドルを手のひらからずれるのを妨げ、その握りを改善する溝によって分けられている。このタイプのハンドルの一例が、米国特許第４９８４０８４号明細書に記載され、これは、特に、人差し指のためのくぼみを備えている。
【０００６】
しかしながら、ユーザの手は、例えば、機器が、子供、女性、大人の男性に関係なく使用され、又は、販売されることを意図した場合、非常に異なる大きさである。さらに、手袋を取り外すことなくこの機器が使用可能であることが望ましい。しかし、通常のハンドルに備えられるくぼみの標準幅は、存在する指の幅の全ての範囲に合致していない。つまり、くぼみは、女性や子供の小さな手にとって、あまりに広くかつあまりに遠く離れており、かつ、多くの男性にとってあまりに狭いのである。
【０００７】
異なる大きさのハンドルと取替え可能な取り外し可能なハンドルは公知である。しかしながら、機器のために潜在するユーザと同じくらい多くのハンドルを確保し、持ち運ぶことが必要であり、非常に経済的でない。
【０００８】
ハンドルの一部分のみが、その大きさに適用するように置き換えられるハンドルは公知である。この場合、全ての潜在するユーザの可能な寸法を先に知らなければならない。さらに、製品に示された標準の寸法を好ましく調節することは不可能である。
【先行技術文献】
【特許文献】
【０００９】
【特許文献１】米国特許第５７４２８５９号明細書
【特許文献２】米国特許第４９８４０８４号明細書
【発明の概要】
【発明が解決しようとする課題】
【００１０】
本発明の目的は、従来技術の制限のないハンドル、特に、ユーザの手に正確に適応するリボルバ又は他のタイプのハンドルを提案することである。
【課題を解決するための手段】
【００１１】
本発明によると、ユーザの指のために複数のくぼみと、かつ、複数のくぼみ（３）をユーザの指の幅に適応させるために、前記くぼみの少なくともいくつかの幅を修正するための調節システムとを備えた機器を動作するために設計されたハンドルを特に用いることによって、これらの目的は達成される。
【００１２】
この解決方法は、ハンドルと一体のシステムを用いて、かつ、外部交換部品を用いることなしに、くぼみの幅の調整を許容するという従来の技術を上回る利点がある。
【００１３】
好ましい実施例では、接触素子、例えば、ボタンは、ハンドルと一体であり、くぼみの幅が調節された場合に移動可能である。この特徴は、くぼみの幅及びスペースが修正された場合でも、指がボタン又は接触素子のそのままであることを保証することを可能としている。
【図面の簡単な説明】
【００１４】
【図１】本発明によるハンドルの斜視図を示している。
【図２】図２Ａ〜図２Ｃは、本発明による３つの異なった調節位置のハンドルの透視図を示している。
【図３】ハンドル、レシーバ、及び、制御部を備えた完全システムを図解的に示している。
【発明を実施するための形態】
【００１５】
以下の記載は、ビデオカメラのための取り外し可能なハンドルのある場合に関する。しかしながら、本発明は、ビデオカメラに不可欠なハンドル、または、異なる部分６又は装置、例えば、ビデオカメラ、写真用の装置、電動工具、ジョイスティック等のための取り外し可能又は固定されたハンドルに適用されもする。
【００１６】
例えば、図１及び２によって図示されたハンドルは、例えば、硬質プラスチックで作られ、例えば、糸状の接合部を用いて水密に組み立てられた抜け殻又は２つの半殻の形状の硬部３０を備えている。この硬部３０は、垂直に手のひらを置くようにデザインされた円弧領域３３と、快適のために柔らかい追加素子６１とを備えている。支持領域３４は、ハンドルを、例えばビデオカメラ（図示せず）のような外部素子に固定させるための固定素子６２を備えている。このように、例えば、カメラ又クレーンのための携帯可能な安定器である例えば三脚のようないずれの有用な固定部に、ハンドルを固定するために、ハンドルは、好ましくは、接続部が配置され又は備えている。好ましくは、ハンドルは、グリップに固定するために手首を通り、手で扱うカメラが落ちるのを妨げる手首ストラップを備えている。
【００１７】
硬部３０は、少なくとも１つのセル又は電池３２によって電力を供給される電気回路を備えている。この電気回路は、図で垂直に、つまり、さらに下に図示されているねじ５にほぼ平行に配置されているプリント回路上に設置されている構成要素（図示せず）を備えている。第２のプリント回路は、硬部３０に、例えば、支持領域３４の近くに配置されている。この第２のプリント回路は、親指によって駆動され、特に、接触素子４６、例えば、１つの安定スイッチ、又は、２つの安定スイッチ、又は、好ましくは傾斜角及び／又は方向が、制御量の値によって決定する小型のジョイスティックを備えている。他の電気構成要素は、第２のプリント回路上に配置される。接触素子４５は、更に下に図示されているプリント回路３５と、伝導線リード線、例えば、可撓リード線又は硬質のリード線（図示せず）によって接続されている。ハンドル１は、好ましくは、ユーザの命令が、制御機器６に接続された受信機５（図３）に送信可能である有線又は無線の送信器を備えている。
【００１８】
実施例で、異なる電気構成要素は、ハンドルの固定部又は変形可能部の異なる数のプリント回路上に配分されることが可能である。さらに、いわゆる、硬部３０は、全部又は一部が、シリコン又は変形可能な金属又は圧縮性金属から作ることも可能である。
【００１９】
ハンドルは、さらに、硬部３０に接続された変形可能部２０を備え、この実施例では、特にねじ５を備えた調節システムによって接続されている。変形可能部２０は、図のほぼ垂直方向に伸び、かつ、この実施例では、手の４つの指（人差し指から小指）に適用するために４つのくぼみ３を備えている。１つから５つまでの異なる数のくぼみを備えたハンドルも考えることが可能である。接触素子４１から４４、例えば、それぞれ１つの安定スイッチは、変形可能部２０に接続し、かつ、図の内側に動作されるように設計されている。もちろん、ハンドルにより少ないボタン、例えば、親指又は人差し指によって動作可能な１つのボタン、又は２つのボタン等を備えたハンドルを提供することも可能である。
【００２０】
変形可能部２０は、好ましくは、モールド又はインジェクト可能である、シリコン、又は、弾性変形可能な他の材料から作成される。ねじ５は、長手方向（図では垂直方向）に、変形可能部２０を貫通している。部分７は、ねじ５が係合するネットとして働いている。ねじ５の上部は、上部調節部８に接触する点８．１にある。硬部３０への進入は、部分８を固定させている。
【００２１】
部分７及び８は、プラスチック又は金属から作られ、好ましくは、シリコンによって覆われている。２つの部分７、８の間のシリコンを圧縮又は逆に減圧するために、ねじ５が回る場合、ベース２２内の下部ナット７は、長手方向に移動する。この目的のため、ねじ５の先端に、ねじ５を回すのをより容易にする調節回転部９が備えられている。調節回転部は、変形可能部２０が配置される凹部内部のナット１１と反対に備えられている。
【００２２】
ねじ５を締めることによって、変形可能部２０は、指用（図２Ｂ）のくぼみ３のそれぞれの幅Ｌ１、Ｌ２、Ｌ３、Ｌ４を修正するために、圧縮される。シリコンによって固定されているボタン（接触素子）４１〜４４は、対応するくぼみの反対に備えられている。このように、どの部分も交換することなく、ユーザの指により、連続かつ元に戻せる方法で、くぼみ３の幅を調節することが可能である。
【００２３】
接触素子は、シリコンで合成された弾力性のある導体を介して、変形可能部２０と硬部３０との間の接触部３７と電気的に接続されている。これらの導体は、好ましくは、シリコンでねじられ（らせん上に）、その結果、これらの導体は、壊れることなく、伸ばされ、又は、逆に圧縮される。曲げ易く、かつ、伸ばすことが可能な材料から作成される導体も考えることが可能である。硬部で、接触部３７とプリント回路３５の間の接続は、柔軟又は硬質の他の導体（図示せず）によって達成される。
【００２４】
実施例では、接触部３７は、取り外し可能なコネクタによって構成されている。この解決によって、変形可能部の最終位置を促進する効果がある。
【００２５】
変形可能部２０のねじれ又は望まれない変形を避けるために、シリコンは、部分的に、例えば、ベース２２又は上部で、例えば、硬化シリコン又は合成材料によって、補強されている。これらの補強された部分は、ハンドルが圧縮された場合に、力が伝達する方向を、ハンドルの変形のために、制御することを可能とする。ユーザによって強く握られた場合に、ハンドルの変形を妨げるために、硬化補強部を備えることも可能である。更に、例えば、より快適にするため、シリコンを変形させるため、又は、美的な理由のため、ハンドルの表面に他の素子で一体化する、又は、補強モールドすることも可能である。変形可能部及び／又は硬部のシリコンを、例えば、いくつかの色で、色付けすることが可能である。好ましくは、手のほとんどの部分を、つかむことが可能な表面に置かれるように注意したい。表面処理は、紫外線からシリコンを守るため、又は、シリコンの表面を滑らかにするために適用される。
【００２６】
接触素子４１−４４は、弾性の接触部（図示せず）、例えば、ばねによって離れて保持された２つの金属ブレードと、変形可能部のシリコンを通るシリコン又はエラストマーのキャップを備えている。そのキャップは、変形可能部の開口部を防水にすることを保証している。対応する指の内側で、このキャップを押圧することは、電流を流すために、２つの金属ブレードの間の電気的接触を作ることを可能としている。この電流は、プリント回路３５上に配置された電気回路による命令として解釈される。この命令は、信号の形態で、例えば、無線信号で、装置に配置された受信器５に送信される。２進法の又はアナログのスイッチの他の方法も考えられる。
【００２７】
好ましい実施例では、接触素子４１−４４には、ある機能が割り当てられていない。ハンドルは、その時、データ入力素子として振る舞い、ボタン４１−４４を用いて、２進値が入力され、かつ、素子４５を用いて、瞬時値又は整数値が入力されることを可能としている。くぼみにはめ込まれた指を用いて、例えば、電位測定器、又は、プッシュボタンを用いて、瞬時値又は整数値を入力することも考えられる。
【００２８】
入力された値は、制御機器６に適応したフォーマットを備えた制御信号に入力された値を変換する受信器５に送信される。
【００２９】
例えば、ビデオカメラを制御するために使用されるハンドル１の場合、ズームレンズピント合わせ、ピント調節、ライト調節、マニュアルから自動撮影モードに切り替え及びその逆、カメラ等に関連した外部機器のモータの制御といった機能を管理するために、受信器５は、例えば、受信命令信号をＬＡＮＣフォーマット又は他の適したフォーマットに変換する。
【００３０】
受信器は、信号をハンドルから受け取るための電気回路５１と、信号を解釈し、信号を他の装置のための命令に、ビデオカメラの場合は、ＬＡＮＣフォーマットに変換するためのマイクロプロセッサを備えている。他の機能は、ボタンに割り当てることが可能である。例えば、制御値を増減するために、ボタン４１−４４の一つを何回か押すことによって、補正値を入力することも可能である。さらに、他の命令が、様々なボタンを押すことによって瞬時に入力される。制御機器に実際に送られた命令を、受信器５の取り替え、又は、再プログラミングによって変更することが可能である。
【００３１】
受信した信号をＬＡＮＣフォーマットと異なったフォーマットの信号、例えば、Ｃｏｎｔｒｏｌ−Ｍ、ＲＳ２３２、ＲＳ４２２、ＩｒｄＡ、又は、制御システム、コンピュータ、又は、電気装置を制御するためのＵＳＢ信号又は他のインターフェースに変換する受信器５と、ハンドルを連結されることも可能である。
【００３２】
ハンドル１と受信器５との通信は、独自のプロトコル、又は、公知のプロトコル、例えば、ブルートゥース（Ｂｌｕｅｔｏｏｔｈ）、ＮＦＣ、ＲＳ２３２等により達成される。好ましい実施例では、命令は、ニューメリック接続（ｎｕｍｅｒｉｃ  ｃｏｎｎｅｃｔｉｏｎ）を介して送信される。ケーブル接続も可能である。好ましくは、ハンドルは、受信器とペアリングコードを共有しており、それを備えた受信器は、単一のハンドルから命令を受け取り、ペアリングしていないハンドルからは命令を受け取らない。受信器は、それ自身の電池によって、又は、制御機器６を通じて、装置及び受信器の接合部６０及び５０を介して、電力供給される。
【００３３】
好ましくは、受信器５は、小さなサイズ及び容積であり、受信器５をＬＡＮＣ又はコネクタ６０に組み入れることによって、受信器５を装置６上に保持することができる。
【００３４】
好ましい実施例では、いくつかのボタン４１−４４上の瞬間圧力、例えば、少なくとも３つのボタン上の圧力は、カメラ、制御機器のための限られた数の信号、例えば、単一命令、命令なしを発生させる。
【００３５】
ハンドル１は、ユーザによって選択可能であり、かつ、異なるカメラ又は異なる他の制御機器と共に働くように設計された異なるタイプの受信器５を用いることを、販売のために、提案することが可能である。
【００３６】
本発明のシステムは、特に図３に記載されている３つの異なる素子、つまり、取り外し可能なハンドル１、ケーブル又は無線を介してハンドルに接続された受信器５、及び、ケーブル又は無線を介して受信器５に接続された制御機器６を備えている。この配置は、最も好ましい柔軟性と再構成の選択を提案している。しかしながら、受信器５無しで済ませ、かつ、制御機器６を直接ハンドルを介して制御する、例えば、ケーブル又は無線のインターフェース（ＵＳＢ又はブルートゥース（Ｂｌｕｅｔｏｏｔｈ））を介して、又は、受信器５を制御機器６と一体にすることによって制御することも可能である。ハンドル１を制御機器６と一体させることで、それらが単一の物を形成することも本発明の範囲内で可能である。
【００３７】
最後に、接触素子を用いて、ハンドルが固定されるもの以外の装置を制御することも可能である。
【００３８】
記載されたハンドルは、非常に異なる手の大きさに、単純にねじ５を調節することによって、容易に適用可能であるという利点がある。受信器を取り替え又は最プログラミングすることによって、異なる制御機器又はユーザの好みに適用可能でもある。シリコンの使用は、ハンドルの電気的及び機械的な素子を湿度や異物から守るために、防水の筐体を実現することを容易にしている。
【符号の説明】
【００３９】
１  ハンドル
３  くぼみ
５  調節システムのねじ
７  調節システムの下部スライドナット
８  調節システムの固定された上部部分
８．１  部分８に対するねじ５の静止位置
９  調節回転部
１１  ナット
２０  変形可能部
２２  変形可能部の下部ベース
３０  硬部
３２  セル又は電池又は外部からの電力
３３  円弧領域
３４  支持領域
３５  プリント回路
３７  変形可能部と硬部との間のコネクタ
４１−４４  くぼみに接続された接触素子（例えば、２進法でない値を提供する１つの又は複数のボタン）
４５  親指のための接触素子
５  受信器
５０  受信器接合部
５１  受信器の電気回路
６  制御機器
６０  制御機器接合部
６１  柔らかい追加部
６２  外部素子の固定部
【図１】
2010537255.tif 000003
【図２Ａ】
2010537255.tif 000004
【図２Ｂ】
2010537255.tif 000005
【図２Ｃ】
2010537255.tif 000006
【図３】
2010537255.tif 000007
【手続補正書】
【提出日】平成22年4月27日(2010.4.27)
【手続補正１】
【補正対象書類名】特許請求の範囲
【補正対象項目名】全文
【補正方法】変更
【補正の内容】
【特許請求の範囲】
【請求項１】
ユーザの指のために複数のくぼみを備えた機器を動作させるためのハンドルにおいて、
複数のくぼみを、前記ユーザの指の幅に適応させるために、前記くぼみの少なくとも一部分の幅を変更可能にする調節システムを備えることを特徴とするハンドル。
【請求項２】
請求項１に記載のハンドルにおいて、
前記調節システムは、くぼみの幅の適応を、部品を分解又は取り替えることなく適応可能とすることを特徴とするハンドル。
【請求項３】
請求項１に記載のハンドルにおいて、
素子を備えた前記調節システムは、くぼみの幅を、前記素子をねじることによって連続的に修正可能とすることを特徴とするハンドル。
【請求項４】
請求項１に記載のハンドルにおいて、
前記くぼみを備え、かつ、少なくとも部分的に、弾性的に変形可能な材料から構成され、変形後に元の形に戻すことが可能である変形可能部と、
くぼみの幅を修正するために、前記材料の圧縮を変形又は修正可能である前記調節システムと備えることを特徴とするハンドル。
【請求項５】
請求項４に記載のハンドルにおいて、
手のひらで固定されるように設計された硬部を備え、
ハンドルを前記機器に接続することを許容し、
前記硬部は、エネルギーを貯えるためのセル又は電池と、
前記機器又は受信部と連係するための電気回路と、
親指によって駆動されるように設計された接触素子とを備え、
前記変形可能素部は、調節システムによって、硬部に接続されていることを特徴とするハンドル。
【請求項６】
請求項１に記載のハンドルにおいて、
人差し指、中指、薬指、及び、小指を収容するための４つの異なるくぼみと、
これらの指の１つによって、いずれかを動作されるように設計されたいくつかの接触素子とを備えることを特徴とするハンドル。
【請求項７】
請求項６に記載のハンドルにおいて、
前記くぼみの幅が調節された場合、接触素子は、移動することを特徴とするハンドル。
【請求項８】
請求項１に記載のハンドルにおいて、
ハンドルが、受信器と連係している場合、
前記受信器は、前記ハンドルによって制御される前記機器と連係しており、
前記受信器は、ハンドルによって入力された命令信号を受信し、前記機器又は他の機器の制御信号に変換する電気回路を備えることを特徴とするハンドル。
【請求項９】
請求項１に記載のハンドルと、
ケーブル又は無線インターフェースを介して、前記ハンドルに接続され、かつ、前記ハンドルを用いて入力された命令に応じて、外部機器を制御するために、ケーブル又は無線インターフェースを備えた受信器とを備えたシステム。
【請求項１０】
請求項９に記載に記載のシステムにおいて、
前記受信器は、再プログラミング可能であることを特徴とするシステム。
【請求項１１】
請求項１０に記載のシステムにおいて、
異なるタイプのインターフェースを介して、異なる機器を制御するために、同一のハンドルに連係可能ないくつかの受信器を備えていることを特徴とするシステム。
【手続補正２】
【補正対象書類名】明細書
【補正対象項目名】０００１
【補正方法】変更
【補正の内容】
【０００１】
本出願は、２００７年８月２８日に出願された国際出願ＰＣＴ／ＥＰ２００７／ＥＰ５８８７０の継続である。本発明は、特にビデオカメラのための機器を握るため及び制御するための調節可能なハンドルに関する。
【国際調査報告】
2010537255.tif 000008
2010537255.tif 000009
2010537255.tif 000010
2010537255.tif 000011
2010537255.tif 000012
2010537255.tif 000013